【事件の表示】
　平成１１年特許願第１２５０５９号「画像処理装置、画像処理方法およびその方法をコンピュータに実行させるプログラムを記録したコンピュータ読み取り可能な記録媒体」拒絶査定不服審判事件〔平成１２年１１月１４日出願公開、特開２０００−３１６０６３〕について、次のとおり審決する。
【結　論】
　本件審判の請求は、成り立たない。
【理　由】
第１　手続きの経緯
　本願は、平成１１年４月３０日に出願されたものであって、平成１７年５月１９日付けで拒絶査定がなされ、これに対して平成１７年６月２３日に拒絶査定不服審判が請求されるとともに平成１７年７月２２日に手続補正がなされたものである。
　
第２　平成１７年７月２２日付けの手続補正についての補正却下の決定
［補正却下の決定の結論］
　平成１７年７月２２日付けの手続補正を却下する。
［理由］
１．補正後の本願発明
　平成１７年７月２２日付け手続補正書により、特許請求の範囲は、補正前の、
　「【請求項１】　画像データを読み取る画像読取手段、画像メモリーを制御して画像データの書込み／読出しをおこなう画像メモリー制御手段、画像データに対し加工編集等の画像処理を施す画像処理手段、または画像データを転写紙等に書き込む画像書込手段に接続し、前記各手段間の画像データの送受信を制御する画像データ制御手段を有する画像処理装置において、
　前記画像処理手段は、前記画像読取手段により読み取られた画像データに対する情報劣化を補正する補正手段を有し、
　前記画像データ制御手段は、前記画像読取手段により読み取られた画像データを前記補正手段に送信し、前記補正手段により補正された画像データを前記画像メモリー制御手段に送信することを特徴とする画像処理装置。
　【請求項２】　さらに、前記画像処理手段は、前記画像書込手段の特性に対応した画質処理を行なう画質処理手段を有し、
　前記画像データ制御手段は、前記画像メモリーから受信した画像データを前記画質処理手段に送信し、前記画質処理手段により処理された画像データを前記画像書込手段に送信することを特徴とする請求項１に記載の画像処理装置。
　【請求項３】　前記画像データ制御手段は、画像データの特徴に応じてデータの送信先を決定することを特徴とする請求項１または２に記載の画像処理装置。
　【請求項４】　さらに、画像処理に関する指示を入力するための指示入力手段を有し、
　前記画像データ制御手段は、前記指示入力手段により入力された指示に応じて画像データの送信先を決定することを特徴とする請求項１〜３のいずれか一つに記載の画像処理装置。
　【請求項５】　前記画像処理手段は、プログラムの変更が可能なプロセッサーにより構成されることを特徴とする請求項１または２に記載の画像処理装置。
　【請求項６】　前記画像処理手段は、ＳＩＭＤ(Ｓｉｎｇｌｅ　Ｉｎｓｔｒｕｃｔｉｏｎ　ｓｔｒｅａｍ　Ｍｕｌｔｉｐｌｅ　Ｄａｔａ　ｓｔｒｅａｍ)型プロセッサーにより構成されることを特徴とする請求項１〜３のいずれか一つに記載の画像処理装置。
　【請求項７】　前記画像読取手段、前記画像処理手段、前記画像書込手段の少なくとも１つが接続された第１のバスと、前記画像メモリー制御手段が接続された第２のバスと、を備え、
　前記画像データ制御手段は、前記第１のバスと前記第２のバスのインターフェースを制御することを特徴とする請求項１〜４のいずれか一つに記載の画像処理装置。
　【請求項８】　前記第２のバスを介して前記画像メモリー制御手段または前記画像データ制御手段に接続し、ファクシミリ画像の送受信をおこなうファクシミリ制御手段を備えたことを特徴とする請求項５に記載の画像処理装置。
　【請求項９】　前記画像読取手段、前記画像データ制御手段、前記画像メモリー制御手段、前記画像処理手段、前記画像書込手段、またはファクシミリ制御手段をそれぞれ独立のユニットとして構成することを特徴とする請求項１〜６のいずれか一つに記載の画像処理装置。
　【請求項１０】　画像データを読み取る画像読取手段、画像メモリーを制御して画像データの書込み／読出しをおこなう画像メモリー制御手段、画像データに対し加工編集等の画像処理を施す画像処理手段、または画像データを転写紙等に書き込む画像書込手段に接続し、前記各手段間の画像データの送受信を制御する画像データ制御手段を有する画像処理装置の画像処理方法において、
　前記画像読取手段により読み取られた画像データに対する情報劣化を補正する補正手段に、前記画像読取手段により読み取られた画像データを送信し、前記補正手段により補正された画像データを前記画像メモリー制御手段に送信することを特徴とする画像処理方法。
　【請求項１１】　前記画像書込手段の特性に対応した画質処理を行なう画質処理手段に、前記画像メモリーから受信した画像データを送信し、前記画質処理手段により処理された画像データを前記画像書込手段に送信することを特徴とする請求項１０に記載の画像処理方法。
　【請求項１２】　前記画像データ制御手段は、所定の制御情報を取得し、取得した制御情報に基づいて画像データの送信先を決定することを特徴とする請求項１０または１１に記載の画像処理方法。
　【請求項１３】　前記請求項１０〜１２のいずれか一つに記載された方法をコンピュータに実行させるプログラムを記録したことを特徴とするコンピュータ読み取り可能な記録媒体。」
から、
　「【請求項１】　画像データを読み取る画像読取手段、画像メモリーを制御して画像データの書込み／読出しをおこなう画像メモリー制御手段、画像データに対し加工編集等の画像処理を施す画像処理手段、または画像データを転写紙等に書き込む画像書込手段に接続し、前記各手段間の画像データ及び画像形成装置全体を制御するシステム制御手段と前記各手段との間の制御信号の送受信を制御する画像データ制御手段を有する画像処理装置において、
　前記画像処理手段は、前記画像読取手段により読み取られた画像データに対する情報劣化を補正する補正手段を有し、
　前記画像データ制御手段は、前記画像メモリー制御手段と第１のバスを介して接続され、前記システム制御手段によって画像データに付加された画像データ制御情報を取得し、前記画像データ制御情報に基づいて前記画像読取手段により読み取られた画像データを前記補正手段に送信し、前記補正手段により補正された画像データを前記第１のバスを介して前記画像メモリー制御手段に送信することを特徴とする画像処理装置。
　【請求項２】　さらに、前記画像処理手段は、前記画像書込手段の特性に対応した画質処理を行なう画質処理手段を有し、
　前記画像データ制御手段は、前記画像メモリーから受信した画像データを前記画質処理手段に送信し、前記画質処理手段により処理された画像データを前記画像書込手段に送信することを特徴とする請求項１に記載の画像処理装置。
　【請求項３】　さらに、画像処理に関する指示を入力するための指示入力手段を有し、
　前記画像データ制御手段は、前記指示入力手段により入力された指示に応じて画像データを前記補正手段に送信し、前記補正手段により補正された画像データを前記第１のバスを介して前記画像メモリー制御手段に送信することを特徴とする請求項１又は２に記載の画像処理装置。
　【請求項４】　前記画像処理手段は、プログラムの変更が可能なプロセッサーにより構成されることを特徴とする請求項１または２に記載の画像処理装置。
　【請求項５】　前記画像処理手段は、ＳＩＭＤ(Ｓｉｎｇｌｅ　Ｉｎｓｔｒｕｃｔｉｏｎ　ｓｔｒｅａｍ　Ｍｕｌｔｉｐｌｅ　Ｄａｔａ　ｓｔｒｅａｍ)型プロセッサーにより構成されることを特徴とする請求項１又は２に記載の画像処理装置。
　【請求項６】　前記画像処理装置は、さらに、前記画像読取手段、前記画像処理手段、前記画像書込手段の少なくとも１つが接続された第２のバスを備え、
　前記画像データ制御手段は、前記第１のバスと前記第２のバスのインターフェースを制御することを特徴とする請求項１〜３のいずれか一つに記載の画像処理装置。
　【請求項７】　前記第１のバスを介して前記画像メモリー制御手段及び前記画像データ制御手段に接続し、ファクシミリ画像の送受信をおこなうファクシミリ制御手段を備えたことを特徴とする請求項４に記載の画像処理装置。
　【請求項８】　前記画像読取手段、前記画像データ制御手段、前記画像メモリー制御手段、前記画像処理手段、前記画像書込手段、またはファクシミリ制御手段をそれぞれ独立のユニットとして構成することを特徴とする請求項１〜５のいずれか一つに記載の画像処理装置。
　【請求項９】　画像データを読み取る画像読取手段、画像メモリーを制御して画像データの書込み／読出しをおこなう画像メモリー制御手段、画像データに対し加工編集等の画像処理を施す画像処理手段、または画像データを転写紙等に書き込む画像書込手段に接続し、前記各手段間の画像データ及び画像形成装置全体を制御するシステム制御手段と前記各手段との間の制御信号の送受信を制御する画像データ制御手段を有する画像処理装置の画像処理方法において、
　前記画像処理手段が、前記画像読取手段により読み取られた画像データに対する情報劣化を補正し、
　前記画像データ制御手段が、前記画像メモリー制御手段と第１のバスを介して接続され、前記システム制御手段によって画像データに付加された画像データ制御情報を取得し、前記画像データ制御情報に基づいて前記画像読取手段により読み取られた画像データを前記補正手段に送信し、前記補正手段により補正された画像データを前記第１のバスを介して前記画像メモリー制御手段に送信することを特徴とする画像処理方法。
　【請求項１０】  前記補正手段に、前記画像読取手段により読み取られた画像データを送信し、前記補正手段により補正された画像データを前記画像メモリー制御手段に送信することを特徴とする請求項９に記載の画像処理方法。
　【請求項１１】　前記請求項９〜１０のいずれか一つに記載された方法をコンピュータに実行させるプログラムを記録したことを特徴とするコンピュータ読み取り可能な記録媒体。」
と補正された。
　
２．補正の適否について
　前記補正の適否について検討する。
（１）新規事項の有無について　 
　本件補正は、請求項１について、「画像データ制御情報」を、「画像データに付加された画像データ制御情報」と限定する補正事項を含むものである。
　しかしながら、願書に最初に添付した明細書又は図面（以下、当初明細書という）には、「画像データ制御情報」に関し、
　
（ア）「【００６８】操作パネル２３４は、画像処理装置がおこなうべき処理を入力する。たとえば、処理の種類（複写、ファクシミリ送信、画像読込、プリント等）および処理の枚数等を入力する。これにより、画像データ制御情報の入力をおこなうことができる。なお、ファクシミリ制御ユニット２２４の内容については後述する。」
　
（イ）「【０１７５】図２１のフローチャートにおいて、まず、画像データ制御部２０３は、他の構成部（ユニット）から画像データを受信したか否かを判断する（ステップＳ２１０１）。ここで、画像データの受信を待って、画像データを受信した場合（ステップＳ２１０１肯定）は、つぎに、上記受信した画像データに関する画像データ制御情報があるか否かを判断する（ステップＳ２１０２）。
【０１７６】画像データ制御情報とは、すなわち、受信した画像データに対してどのような処理（制御）をするかに関する情報であり、上述したように、処理の種類（複写、ファクシミリ送信、画像読込、プリント等）およびプリント等の場合は処理の枚数等が記憶されている。また通常、画像データ制御情報は、操作者による入力操作により入力されるが、当該入力操作がなくても、画像データの種類等、画像データ特有の特徴により、「画像データ制御情報あり」と判断することができる。
【０１７７】ステップＳ２１０２において、画像データ制御情報がない場合（ステップＳ２１０２）は、画像データ制御情報の入力要求をおこなう（ステップＳ２１０３）。入力要求としては、たとえば、操作パネル２３４等にその旨を表示することにより操作者に画像データ制御情報の入力を促す等がある。
【０１７８】その後、操作者からの画像データ制御情報の入力（たとえば、操作パネル２３４の操作ボタンの押下等）があったか否かを判断し（ステップＳ２１０４）、画像データ制御情報の入力ない場合（ステップＳ２１０４否定）は、ステップＳ２１０３へ移行し、画像データ制御情報の入力があるまで入力要求をおこなう。一方、入力要求があった場合は、ステップＳ２１０５へ移行する。
【０１７９】ステップＳ２１０５においては、上記画像データ制御情報を取得する。その後、取得した画像データ制御情報に基づいて、受信した画像データの送信先が、画像メモリー・アクセス制御部２２１またはファクシミリ制御ユニット２２４であるか否かを判断する（ステップＳ２１０６）。」
　
との記載があり、「画像データ制御情報」が、「操作者による入力操作により入力」されること、あるいは「画像データの種類等、画像データ特有の特徴」から定まることは、記載又は示唆されているが、「画像データ制御情報」が、「画像データに付加」されていることは記載されておらず、また、自明のことともいえない。
　したがって、請求項１について、「画像データ制御情報」を、「画像データに付加された画像データ制御情報」とする補正は、当初明細書等に記載した事項の範囲内のものとはいえない。 
　
（２）補正の目的の適否について
　補正前の特許請求の範囲の各請求項１〜１３のいずれにも、補正後の特許請求の範囲の請求項１に記載された次の事項
(i)「及び画像形成装置全体を制御するシステム制御手段と前記各手段との間の制御信号」
(ii)「前記画像メモリー制御手段と第１のバスを介して接続され、前記システム制御手段によって画像データに付加された画像データ制御情報を取得し、前記画像データ制御情報に基づいて」
は、記載されていない。
　すなわち、補正前の特許請求の範囲の請求項１には、画像読取手段、画像メモリー制御手段、画像処理手段、または画像書込手段に接続し、前記各手段間の画像データ及び「画像形成装置全体を制御するシステム制御手段」は記載されておらず、また、該画像データ制御手段が、「該システム制御手段と前記各手段との間の制御信号」の送受信を制御することも記載されていない。また、画像データ制御手段が、「画像メモリー制御手段と第１のバスを介して接続され、システム制御手段によって画像データに付加された画像データ制御情報を取得し、画像データ制御情報に基づいて」画像読取手段により読み取られた画像データを補正手段に送信することも記載されていない。
　したがって、請求項１について、上記(i)及び(ii)に示される事項を付加する補正は、補正前の特許請求の範囲の請求項１に新たな事項を付加するものであり、特許請求の範囲の減縮（第３６条第５項の規定により請求項に記載した発明を特定するために必要な事項を限定するものであって、その補正前の当該請求項に記載された発明とその補正後の当該請求項に記載される発明の産業上の利用分野及び解決しようとする課題が同一であるものに限る。）を目的としたものといえない。
　また、上記補正の目的は、請求項の削除、誤記の訂正、明りょうでない記載の釈明（拒絶理由通知に係る拒絶の理由に示す事項についてするものに限る。）のいずれのものに該当しないことも明らかである。
　
（３）上記（１）、（２）のとおり、平成１７年７月２２日付けの手続補正書による補正は、特許法第１７条の２第３項及び第４項の規定に違反するものであり、同法第１５９条第１項で準用する第５３条第１項の規定により却下すべきものである。
　
第３　本願発明について
　平成１７年７月２２日付けの手続補正は、前記のとおり却下されたので、本願の特許請求の範囲の請求項１に係る発明（以下、「本願発明」という。）は、平成１７年２月７日付けの手続補正により補正された特許請求の範囲の請求項１に記載された次のとおりのものである。
　「【請求項１】　画像データを読み取る画像読取手段、画像メモリーを制御して画像データの書込み／読出しをおこなう画像メモリー制御手段、画像データに対し加工編集等の画像処理を施す画像処理手段、または画像データを転写紙等に書き込む画像書込手段に接続し、前記各手段間の画像データの送受信を制御する画像データ制御手段を有する画像処理装置において、
　前記画像処理手段は、前記画像読取手段により読み取られた画像データに対する情報劣化を補正する補正手段を有し、
　前記画像データ制御手段は、前記画像読取手段により読み取られた画像データを前記補正手段に送信し、前記補正手段により補正された画像データを前記画像メモリー制御手段に送信することを特徴とする画像処理装置。」
　
１．引用刊行物
　原審が拒絶の理由に引用した特開平１０−３３６３６６号公報（平成１０年１２月１８日出願公開。以下、「引用例」という。）には、図面とともに次の各記載がある。
　
（ア）「【０００１】
【発明の属する技術分野】本発明は、複写機能、プリンタ機能及びファクシミリ機能を備えた総合画像形成装置に関する。
【０００２】（中略）
【０００４】
【発明が解決しようとする課題】ところで、近年の画像形成装置では、複写機能に加えて、プリンタ機能やファクシミリ機能を備えた総合的な形態を取るものが多くなっており、この種の総合画像形成装置では、複数の機能を効率的に作動させることが必要である。しかし、図６の構成を基にした総合画像形成装置では、複写機能、プリンタ機能及びファクシミリ機能の何れかの画像記憶部１７Ａへのアクセス時には、他の機能が画像記憶部１７Ａにアクセスすることはできない。
【０００５】このために、例えば、複写機としての動作中には、プリンタの印刷データの入力やファクシミリの受信ができず、総合画像形成機能が十分発揮されているとはいえないことになる。この問題を解決するためには、複写機能、プリンタ機能及びファクシミリ機能のそれぞれに画像記憶部を設けることも提案されているが、製造コスト上で問題となり装置も大型化してしまう。
【０００６】本発明は、前述したようなこの種の総合画像形成装置の現状に鑑みてなされたものであり、その目的は、小型化された簡単な構成で、複写機能、プリンタ機能及びファクシミリ機能を、それぞれ効率的に作動させることが可能な総合画像形成装置を提供することにある。」
　
（イ）「【００１４】本実施の形態では、図１に示すように、全体の動作を制御する全体制御部１８が設けられ、この全体制御部１８に、各種の画像処理を行なう画像処理部１６と、各種のデータが格納され、また読み出される画像記憶部１７とが接続されている。画像処理部１６には、入力側のセレクタ１９と出力側のセレクタ２０とが設けられ、セレクタ１９とセレクタ２０間には、最適な記録濃度を得るためのγ補正を行なうγ補正部２１、波長領域を設定するフィルタ処理部２２、変倍率を設定する変倍部２３、及び、シェーディング補正やＭＴＦなどの画質処理を行なう画質処理部２４が、互いに並列に接続されている。
【００１５】入力側のセレクタ１９には、ファクシミリ信号を受信し、ファクシミリ受信信号信号を復調し情報復元して得たファクシミリ受信データを入力するファクシミリ受信部１２、原稿画像を読取りデジタル画像データに変換して入力する画像読取り部１１、及び印刷データを入力するプリンタコントローラ部１４が接続され、出力側のセレクタ２０には、ファクシミリ送信を行なうファクシミリ送信部１３、及び画像記録を行なう画像記録部１５が接続され、セレクタ１９、２０間は互いに信号の授受が可能に接続されている。
【００１６】画像記憶部１７には、データの書込と読出を制御するメモリコントローラ２６が設けられ、このメモリコントローラ２６には、各種のデータが書込まれ、また読出されるメモリ部２５が接続され、さらに、メモリコントローラ２６とセレクタ１９間に、出力インタフェース回路２７ａ、２７ｂが互いに並列に接続され、メモリコントローラ２６とセレクタ２０間に、入力インタフェース回路２８ａ、２８ｂが互いに並列に接続されている。」
　
（ウ）「【００１７】このような構成の本実施の形態の動作を説明する。本実施の形態での複写動作時には、原稿が画像読取り部１１で読み取られて得られるデジタル画像データがセレクタ１９に入力され、全体制御部１８の指令によって、γ補正部２１、フィルタ処理部２２、変倍部２３、画質処理部２４が、所定の順序で順次選択され、デジタル画像データに対して、最適な記録濃度を得るためのγ補正、波長領域の設定、変倍率の設定、シェーディング補正やＭＴＦなどの画質処理が、セレクタ１９、２０の選択動作によって順次施される。
【００１８】このようにして、画像処理部１６での画像処理が終了したデジタル画像データは、セレクタ２０から、入力インタフェース回路２８ａ、２８ｂの何れかを介して、メモリコントローラ２６に入力され、全体制御部１８の指令による所定のタイミングで、メモリコントローラ２６によってメモリ部２５に格納される。
【００１９】そして、このようにして、メモリ部２５に格納されたデジタル画像データは、全体制御部１８の指令による所定のタイミングで、メモリ部２５からメモリコントローラ２６により読み出され、読み出されたデジタル画像データは、出力インタフェース回路２７ａ、２７ｂの何れかを介してセレクタ１９に入力される。さらに、このデジタル画像データは、セレクタ１９からセレクタ２０を介して、画像記録部１５に入力され、画像記録部１５によって原稿の画像形成が行なわれる。
【００２０】本実施の形態でのプリント動作時には、プリンタコントロール部１４から印刷データがセレクタ１９に入力され、画像処理部１６での画像処理が必要な場合には、全体制御部１８の指令によって、セレクタ１９が作動し、例えば変倍部２３が選択されて変倍処理が行なわれ、必要な画像処理が終了した印刷データは、セレクタ２０から、入力インタフェース回路２８ａ、２８ｂの何れかを介して、メモリコントローラ２６に入力され、全体制御部１８の指令による所定のタイミングでメモリコントローラ２６によりメモリ部２５に格納される。
【００２１】そして、このようにして、メモリ部２５に格納された印刷データは、全体制御部１８の指令による所定のタイミングで、メモリ部２５からメモリコントローラ２６により読み出され、読み出された印刷データは、出力インタフェース回路２７ａ、２７ｂの何れかを介してセレクタ１９に入力される。さらに、この印刷データは、セレクタ１９からセレクタ２０を介して、画像記録部１５に入力され、画像記録部１５によって印刷データの印刷が行なわれる。」
　
（エ）「【００２２】本実施の形態でのファクシミリ受信動作時には、受信されたファクシミリ信号は、ファクシミリ受信部１２で復調され情報復元されて、得られたファクシミリ受信データがセレクタ１９に入力され、このファクシミリ受信データは、セレクタ１９からセレクタ２０を通り、入力インタフェース回路２８ａ、２８ｂの何れかを介して、メモリコントローラ２６に入力され、全体制御部１８の指令による所定のタイミングで、メモリコントローラ２６によりメモリ部２５に格納される。
【００２３】そして、このようにして、メモリ部２５に格納されたファクシミリ受信データは、全体制御部１８の指令による所定のタイミングで、メモリ部２５からメモリコントローラ２６により読み出され、読み出されたファクシミリ受信データは、出力インタフェース回路２７ａ、２７ｂの何れかを介してセレクタ１９に入力される。さらに、このファクシミリ受信データは、セレクタ１９からセレクタ２０を介して、画像記録部１５に入力され、画像記録部１５によってファクシミリ受信データの印刷が行なわれる。
【００２４】本実施の形態でのファクシミリ送信動作時には、原稿が画像読取り部１１で読み取られて得られるデジタル画像データが、セレクタ１９に入力され、画像処理部１６での画像処理が必要な場合には、全体制御部１８の指令によって、セレクタ１９が作動して必要な画像処理が選択して施され、必要な画像処理が終了したデジタル画像データは、セレクタ２０から、入力インタフェース回路２８ａ、２８ｂの何れかを介して、メモリコントローラ２６に入力され、全体制御部１８の指令による所定のタイミングで、メモリコントローラ２６によってメモリ部２５に格納される。
【００２５】そして、このようにして、メモリ部２５に格納されたデジタル画像データは、全体制御部１８の指令による所定のタイミングで、メモリ部２５からメモリコントローラ２６により読み出され、読み出されたデジタル画像データは、出力インタフェース回路２７ａ、２７ｂの何れかを介してセレクタ１９に入力される。さらに、このファクシミリ受信データは、セレクタ１９からセレクタ２０を介して、ファクシミリ送信部１３に入力され、ファクシミリ送信部１３によって、情報圧縮と変調とが行なわれてファクシミリ送信される。」
　
（オ）「【００３０】このように、本実施の形態によると、ファクシミリ受信部１２からのファクシミリ受信データ、画像読取り部１１からのデジタル画像データ、プリンタコントローラ部１４からの印刷データは、画像処理部１６に入力され、画像処理が必要な場合には、全体制御部１８の指令によって作動するセレクタ１９、２０により、必要な画像処理が施された後に、入力インタフェース回路２８ａ、２８ｂの何れかを介して、メモリコントローラ２６に入力される。そして、入力インタフェース回路２８ａ、２８ｂ、及び出力インタフェース回路２７ａ、２７ｂと画像処理部１６との間では、１０ＭＨｚ／８ビットの速度で時分割的にデータの授受が行なわれ、この速度と同調してメモリコントローラ２６により、メモリ部２５とのデターの授受が１０ＭＨｚ／３２ビットで時分割的に行なわれるので、複数の機能部による画像記憶手段に対するデータの書込のアクセスと読出のアクセスとが、それぞれ見かけ上は同時に行なわれ、総合画像形成装置の複数の機能を効率的に実行することが可能になる。」
　
　以上の記載及び図面からみて、引用例には、次の発明が記載されていると認める。
　「原稿画像を読取りデジタル画像データに変換して入力する画像読取り部１１と、メモリ部２５を制御してデジタル画像データの書込み及び読出しを行うメモリコントローラ２６と、デジタル画像データに対しγ補正、波長領域の設定、変倍率の設定、シェーディング補正やＭＴＦ等の画質処理を施す画像処理部１６と、デジタル画像データを印刷処理する画像記録部１５と、　画像処理部１６と、メモリコントローラ２６が設けられた画像記憶部１７とに接続された全体制御部１８を有する総合画像形成装置において、
　前記画像処理部１６は、γ補正部２１、フィルタ処理部２２、変倍部２３、画質処理部２４を有し、
　画像読取り部１１で読み取られて得られるデジタル画像データがセレクタ１９に入力され、全体制御部１８の指令によって、γ補正部２１、フィルタ処理部２２、変倍部２３、画質処理部２４が、所定の順序で順次選択され、デジタル画像データに対して、γ補正、波長領域の設定、変倍率の設定、シェーディング補正やＭＴＦなどの画質処理が、セレクタ１９、２０の選択動作によって順次施され、
画像処理部１６での画像処理が終了したデジタル画像データは、セレクタ２０から、入力インタフェース回路２８ａ、２８ｂの何れかを介して、メモリコントローラ２６に入力され、全体制御部１８の指令により、メモリコントローラ２６によってメモリ部２５に格納され、
　メモリ部２５に格納されたデジタル画像データは、全体制御部１８の指令によって、メモリ部２５からメモリコントローラ２６により読み出され、読み出されたデジタル画像データは、セレクタ１９、２０を介して、画像記録部１５に入力され、画像記録部１５によって原稿の画像形成が行われる総合画像形成装置。」
　
２．対比
　本願発明と引用例に記載された発明を対比すると、
　引用例に記載された発明の、原稿画像を読取ることにより得られた「デジタル画像データ」は、本願発明の「画像データ」に相当することは明らかであるから、引用例に記載された発明の、「原稿画像を読取りデジタル画像データに変換して入力する画像読取り部１１」は、本願発明の「画像データを読み取る画像読取手段」に相当する。
　引用例に記載された発明の「メモリコントローラ２６」は、メモリ部２５を制御してデジタル画像データの書込み及び読出しを行うことから、本願発明の「画像メモリーを制御して画像データの書込み／読出しをおこなう画像メモリー制御手段」に相当する。
　引用例に記載された発明の「画像処理部１６」は、デジタル画像データに対して、変倍率の設定等を行っていることから、本願発明の「画像データに対し加工編集等の画像処理を施す画像処理手段」に相当する。
　また、引用例に記載された発明の「画像処理部１６」は、画像読取り部１１で読み取られた画像データに対し、画像処理部１６内にある画質処理部２４によりシェーディング補正等を実行しているから、本願発明の「画像読取手段により読み取られた画像データに対する情報劣化を補正する補正手段」に相当する構成を有するといえる。
　引用例に記載された発明の、デジタル画像データを印刷処理する「画像記録部１５」は、本願発明の「画像データを転写紙等に書き込む画像書込手段」に相当することは明らかである。
　引用例に記載された発明の「全体制御部１８」は、画像処理部１６と、メモリコントローラ２６が設けられた画像記録部１７とに接続され、「全体制御部１８」の指令により、画像処理を選択するとともに、画像処理が終了したデジタル画像データを、「全体制御部１８」の指令により、メモリコントローラ２６によりメモリ部２５に格納することから、本願発明の「画像データ制御手段」に対応する。
　更に、引用例に記載された発明において、デジタル画像データは、セレクタ１９に入力され、「全体制御部１８」の指令によって、γ補正部２１、フィルタ処理部２２、変倍部２３、画質処理部２４を所定の順序で順次選択し、デジタル画像データに対して、γ補正、波長領域の設定、変倍率の設定、シェーディング補正やＭＴＦなどの画質処理を順次施し、また、画像処理が終了したデジタル画像データは、メモリコントローラ２６に入力され、「全体制御部１８」の指令により、メモリ部２５に格納されることから、引用例に記載された発明と本願発明とは、「画像メモリー制御手段または画像処理手段に接続し、画像データの送受信を制御する画像データ制御手段」を有する点及び「画像読取手段により読み取られた画像データを補正手段に送信し、前記補正手段により補正された画像データを画像メモリー制御手段に送信する」構成を備えている点で一致する。
　そして、引用例に記載された発明の「総合画像形成装置」は、本願発明の「画像処理装置」に相当することは、明らかである。
　
　したがって、本願発明と引用例に記載された発明とは、
　「画像データを読み取る画像読取手段、画像メモリーを制御して画像データの書込み／読出しをおこなう画像メモリー制御手段、画像データに対し加工編集等の画像処理を施す画像処理手段、及び画像データを転写紙等に書き込む画像書込手段を有し、
　前記画像メモリー制御手段または画像処理手段に接続し、画像データの送受信を制御する画像データ制御手段を有する画像処理装置において、
　前記画像処理手段は、前記画像読取手段により読み取られた画像データに対する情報劣化を補正する補正手段を有し、
　前記画像データ制御手段は、前記画像読取手段により読み取られた画像データを前記補正手段に送信し、前記補正手段により補正された画像データを前記画像メモリー制御手段に送信する画像処理装置。」
である点で一致し、以下の点で相違する。
【相違点】
　本願発明の「画像データ制御手段」は、「画像読取手段、画像メモリー制御手段、画像処理手段、または画像書込手段に接続し、前記各手段間の画像データの送受信を制御する」のに対し、引用例に記載された発明の「画像データ制御手段」は、「画像メモリー制御手段、または画像処理手段に接続し、画像データの送受信を制御する」点。
　
３．判断
　前記相違点について検討する。
　引用例に記載された発明の「画像データ制御手段」である「全体制御部１８」は、その指令により、画像読取り部１１から入力されたデジタル画像データを、画像処理部２４のγ補正部２１、フィルタ処理部２２、変倍部２３、画質処理部２４に送り、また、画像処理が終了したデジタル画像データを、メモリコントローラ２６を介して、メモリ部２５に格納し、更に、メモリ部２５に格納されたデジタル画像データを、読み出して、セレクタ１９、２０を介して、画像記録部１５に入力し画像形成するタイミングを指令していることから、メモリコントローラ２６、画像処理部２４のみならず、画像読取り部１１及び画像記録部１５を含む各手段間のデジタル画像データの送受信をも制御している。
　したがって、引用例に記載された発明の「全体制御部１８」を、メモリコントローラ２６、画像処理部２４に加え、画像読取り部１１及び画像記録部１５とも接続し、これらを含む画像処理装置全体を制御する構成とすることは、当業者であれば容易に想到し得ることである。
　そして、本願発明の奏する作用効果は、引用例に記載された発明の奏する作用効果から予測される範囲内のものにすぎず、格別顕著なものということはできない。
　
（審判請求人の主張の検討）　
　なお、本件審判請求人は、平成１６年１１月２９日付の拒絶理由通知書に対する平成１７年２月７日付けの意見書において、
　「これに対し、引用文献１には、画像処理部１６が、画像読取部１１により読み取られた画像データに対する情報劣化を補正する処理の後にメモリ部２５に記憶することについては記載されていません。つまり、転写紙への出力に必要な画像処理を全て完了してからメモリ部２５に格納しています。このことは、画像処理部１６での画像処理が終了したデジタル画像データがメモリ部２５に格納され、読み出した後は、セレクタ１９がセレクタ２０を介して（すなわち、画像処理を行なわず）画像記録部１５に入力され、画像記録部１５によって原稿の画像形成が行われるとの記載からも明らかです（引用文献１の段落［００１８］〜［００１９］）。
　本願発明によれば、一旦、スキャナー画像処理部５０２により処理された画像データをメモリー・モジュール２２２に蓄積しておけば、画質処理部５０５により画質処理を変えることによって種々の再生画像を確認することができるという効果を奏します（たとえば段落［００９９］など）。従って、画質処理を変える際に、画像を読取ユニット２０１からの読み込みをやり直す必要はなく、メモリー・モジュール２２２から蓄積された画像データを読み出すことにより、同一画像データに対して何度でも異なる処理を迅速に実施することができるので、利用者にとってもスキャナー読み取りをやり直す手間が省け、装置の処理効率向上を図ることができるというメリットがあります（たとえば段落［０１００］など）。
　これに対し、引用文献１では、メモリ部２５へは全ての画像処理を施した後の画像データが記憶されているため、画質処理を変更したい場合は、改めて画像読取を行なう必要があり、利用者の便宜、及び装置の処理効率の向上を図ることができません。」
と主張している。
　しかしながら、本願特許請求の範囲の請求項１には、「画像データ制御手段」は、「補正手段により補正された画像データを前記画像メモリー制御手段に送信」するとしか記載されておらず、画像メモリーに記憶した画像データの画質処理を変えることによって種々の再生画像を確認するための特有の構成に係る記載はなく、審判請求人の上記主張は、請求項１に記載のない事項に基づく根拠のない主張である。
　なお、引用例に記載された発明においても、デジタル画像データを、一旦メモリ部２５に格納しており、更に、画像形成時には、メモリ部２５から読出したデジタル画像データを、γ補正部２１、フィルタ処理部２２、変倍部２３、画質処理部２４を有する画像処理部１６を介して、画像記録部１５に入力する以上、画像処理部１６メモリ部２５から読み出したデジタル画像データの画質処理等を、画像処理部１６において変更し、種々の再生画像を確認する構成とすることは、当業者であれば適宜なし得ることである。
　したがって、上記主張は失当である。
　
４．むすび
　以上のとおり、本願発明は、引用例に記載された発明に基づいて当業者が容易に発明をすることができたものであり、特許法第２９条第２項の規定により特許を受けることができないものであるから、他の請求項について検討するまでもなく、本願は特許を受けることができない。
　よって、結論のとおり審決する。